【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
認証用文字列の入力用に、それぞれ操作面に手の指先を接触させるようにして押下操作可能な複数の操作キーと、
上記複数の操作キーの上記操作面の温度を変化させてほぼ等しくする温度変化部と
を具える入力装置。
【請求項２】
上記温度変化部は、
上記複数の操作キーを加熱するための発熱素子と、
上記発熱素子を発熱させて上記複数の操作キーを加熱する加熱処理部と
を具える請求項１に記載の入力装置。
【請求項３】
上記温度変化部は、
上記複数の操作キーの上記操作面の温度をそれぞれ検出するための複数の温度センサ
を具え、
上記加熱処理部は、
上記複数の温度センサを介して上記複数の操作キーの上記操作面の温度をそれぞれ検出する
請求項２に記載の入力装置。
【請求項４】
上記加熱処理部は、
上記複数の温度センサを介して検出した上記複数の操作キーの上記操作面の温度をそれぞれ、当該操作面の温度を変化させるために予め選定された目標温度と比較する
請求項３に記載の入力装置。
【請求項５】
上記加熱処理部は、
上記複数の温度センサを介して検出した上記複数の操作キーの上記操作面の温度をそれぞれ上記目標温度と比較して得られる比較結果に応じて、上記発熱素子の発熱量を変更する
請求項４に記載の入力装置。
【請求項６】
上記加熱処理部は、
上記複数の温度センサを介して検出した上記複数の操作キーの上記操作面の温度が上記目標温度よりも低いほど、上記発熱素子の発熱量を増加させるように変更する
請求項５に記載の入力装置。
【請求項７】
上記加熱処理部は、
上記発熱素子を発熱させて上記複数の操作キーを加熱することにより、当該複数の操作キーの上記操作面の少なくとも一部の温度を変化させる
請求項６に記載の入力装置。
【請求項８】
上記温度変化部は、
上記複数の操作キーの上記操作面の少なくとも一部の温度を変化させる
請求項１に記載の入力装置。
【請求項９】
上記温度変化部は、
上記複数の操作キーを冷却するための冷却素子と、
上記冷却素子を冷却させて上記複数の操作キーを冷却する冷却処理部と
を具える請求項１に記載の入力装置。
【請求項１０】
上記認証用文字列の入力者が本装置と対峙したか否かを検出するためのセンサ
を具え、
上記温度変化部は、
上記センサを介して上記入力者が上記本装置と対峙したことが検出された時点から、上記入力者が上記本装置から離れたことが検出された時点までの間の任意のタイミングで上記複数の操作キーの上記操作面の温度を変化させる
請求項１に記載の入力装置。
【請求項１１】
上記温度変化部は、
上記センサを介して上記入力者が上記本装置と対峙したことが検出されたとき、上記複数の操作キーの上記操作面の温度を変化させる
請求項１０に記載の入力装置。
【請求項１２】
上記温度変化部は、
上記センサを介して上記入力者が上記本装置から離れたことが検出されたとき、上記複数の操作キーの上記操作面の温度を変化させる
請求項１０に記載の入力装置。
【請求項１３】
上記温度変化部は、
上記入力者により、上記認証用文字列の入力が必要な処理項目が選択されたとき、上記複数の操作キーの上記操作面の温度を変化させる
請求項１０に記載の入力装置。
【請求項１４】
上記温度変化部は、
上記入力者により上記複数の操作キーが押下操作されて上記認証用文字列が入力されたとき、上記複数の操作キーの上記操作面の温度を変化させる
請求項１０に記載の入力装置。
【請求項１５】
上記温度変化部は、
上記複数の操作キーを加熱するための発熱素子と、
上記複数の操作キーを冷却するための冷却素子と、
上記複数の操作キーの上記操作面の温度をそれぞれ検出するための複数の温度センサと
を具え、
上記温度変化部は、
上記複数の温度センサを介して検出した上記複数の操作キーの上記操作面の温度に応じて上記発熱素子と上記冷却素子とを使い分けて、上記複数の操作キーの上記操作面の温度を変化させる
請求項１に記載の入力装置。
【請求項１６】
紙葉類の特定の取扱に必要な認証用文字列の入力用に、それぞれ操作面に手の指先を接触させるようにして押下操作可能な複数の操作キーと、
上記複数の操作キーの上記操作面の温度を変化させてほぼ等しくする温度変化部と
を具える紙葉類取扱装置。
【手続補正２】
【補正対象書類名】明細書
【補正対象項目名】００１９
【補正方法】変更
【補正の内容】
【００１９】
かかる課題を解決するため本発明においては、認証用文字列の入力用に、それぞれ操作面に手の指先を接触させるようにして押下操作可能な複数の操作キーと、複数の操作キーの操作面の温度を変化させてほぼ等しくする温度変化部とを設けるようにした。
【手続補正３】
【補正対象書類名】明細書
【補正対象項目名】００２０
【補正方法】変更
【補正の内容】
【００２０】
従って本発明では、認証用文字列の入力のために複数の操作キーが、その操作面に手の指先を接触させるようにして押下操作された際に、サーモグラフィで当該複数の操作キーの操作面の温度が検出されたとしても、操作面の温度では押下操作された操作キーを判別し得なくすることができる。
【手続補正４】
【補正対象書類名】明細書
【補正対象項目名】００２１
【補正方法】変更
【補正の内容】
【００２１】
本発明によれば、認証用文字列の入力用に、それぞれ操作面に手の指先を接触させるようにして押下操作可能な複数の操作キーと、複数の操作キーの操作面の温度を変化させてほぼ等しくする温度変化部とを設けるようにしたことにより、認証用文字列の入力のために複数の操作キーが、その操作面に手の指先を接触させるようにして押下操作された際に、サーモグラフィで当該複数の操作キーの操作面の温度が検出されたとしても、操作面の温度では押下操作された操作キーを判別し得なくすることができ、かくしてサーモグラフィを用いる認証用文字列の不正な取得を防止し得る入力装置及び紙葉類取扱装置を実現することができる。
【手続補正５】
【補正対象書類名】明細書
【補正対象項目名】０２３７
【補正方法】変更
【補正の内容】
【０２３７】
また、以下の説明では、操作連動部４６の複数の押子４６Ｂのうち複数の番号入力用操作キー４０にそれぞれ接触している押子４６Ｂ（すなわち、１０個の番号入力用操作キー４０を下から支えている１０箇所の押子４６Ｂ）を、特に番号入力用押子４６Ｂとも呼ぶ。
【手続補正６】
【補正対象書類名】明細書
【補正対象項目名】０２５２
【補正方法】変更
【補正の内容】
【０２５２】
よって加熱処理部５４は、顧客により暗証番号が入力された際、第三者によりサーモグラフィが用いられて複数の番号入力用操作キー４０の操作面４０Ａの温度が検出されたとしても、その検出した温度からは、暗証番号の入力用に押下操作された番号入力用操作キー４０や、当該番号入力用操作キー４０の押下操作の順番を特定し得なくすることができる。
【手続補正７】
【補正対象書類名】明細書
【補正対象項目名】０３８９
【補正方法】変更
【補正の内容】
【０３８９】
また主制御部７２は、入力部７１から複数の番号入力用操作キー４０の操作面４０Ａの温度が目標温度まで上昇したことが通知されると、上述した第１の実施の形態の場合と同様に、表示部７に項目選択案内画像データに換えて暗証番号入力案内画像データを送出する。
【手続補正８】
【補正対象書類名】明細書
【補正対象項目名】０４０７
【補正方法】変更
【補正の内容】
【０４０７】
よって主制御部７２は、複数の番号入力用操作キー４０各々の操作面４０Ａの温度が目標温度まで上昇したときに、直ちに入力部７１に対し当該操作面４０Ａの温度が目標温度まで上昇したことを検出させて通知させると共に、その通知に応じて表示部７に対する表示を待機案内画像から暗証番号入力案内画像へ切り換えることができる。
【手続補正９】
【補正対象書類名】明細書
【補正対象項目名】０４２０
【補正方法】変更
【補正の内容】
【０４２０】
そして入力用配線基板７７において加熱処理部７８は、当該入力用配線基板７７に所定パターンで形成された導電線（図示せず）を介して入力基板側コネクタ５３と電気的に接続されている。
【手続補正１０】
【補正対象書類名】明細書
【補正対象項目名】０４７７
【補正方法】変更
【補正の内容】
【０４７７】
そして複数の電流値設定回路８３Ａ乃至８３Ｊは、このようにして生成した発熱制御データを、対応するデジタルアナログ変換回路８４Ａ乃至８４Ｊに送出する。
【手続補正１１】
【補正対象書類名】明細書
【補正対象項目名】０５３５
【補正方法】変更
【補正の内容】
【０５３５】
従って現金自動預払機７０は、操作面実温度が目標温度よりも低いために複数の発熱素子５１Ａ乃至５１Ｊの発熱量を増大させて複数の番号入力用操作キー４０を加熱した場合、当該操作面実温度が目標温度まで上昇した後も、複数の発熱素子５１Ａ乃至５１Ｊの増大させていた発熱量によって複数の番号入力用操作キー４０を加熱し続けて、操作面実温度が目標温度よりも著しく高くなることを防止することができる。